(57)【要約】【課題】ユーザの打鍵力に起因する機器の滑りを防止する。【解決手段】機器１０は、ユーザに打鍵されるキー１２と、ステージに置かれたときにステージと対向する一面に設けられた滑り止め部材２０と、を備えている。滑り止め部材２０は、機器１０に向かうユーザから見て横方向（Ｘ方向）に沿って延び、ステージと対向する一面から突出した突起部２２を有する。突起部２２の先端２４は、横方向（Ｘ方向）の端部領域Ｄで凸状の曲面を成し、中央領域Ｃで端部領域Ｄよりも鋭く尖っている。【選択図】図６
2012089932.tif 000002
【特許請求の範囲】
【請求項１】
ユーザに打鍵されるキーと、ステージに置かれたときに該ステージと対向する一面に設けられた滑り止め部材と、を備えた機器であって、
前記滑り止め部材は、前記機器に向かうユーザから見て横方向に沿って延び、前記ステージと対向する前記一面から突出した突起部を有し、
前記突起部の先端は、前記横方向の端部領域で凸状の曲面を成し、中央領域で前記端部領域よりも鋭く尖っている、機器。
【請求項２】
前記突起部は、前記中央領域から前記端部領域に向かうにつれて前記ステージと対向する前記一面からの高さが高くなる領域を有する、請求項１に記載の機器。
【請求項３】
互いに平行に並べられた複数の前記突起部を有している、請求項１または２に記載の機器。
【請求項４】
前記滑り止め部材は、前記機器に向かうユーザから見て、前記キーよりも奥に設けられている、請求項１から３のいずれか１項に記載の機器。
【発明の詳細な説明】
【技術分野】
【０００１】
本発明は、ユーザに打鍵されるキーを有する機器に関し、特に滑り止め部材を備えた機器に関する。
【背景技術】
【０００２】
携帯電話機、携帯情報端末（ＰＤＡ）、ノート型パソコンなどの携帯型の電子機器やキーボードなどの周辺機器は、設置されているテーブルや机など（以下、ステージと呼ぶ）の上で、滑り動くことを防止する滑り止め部材が設けられていることがある。
【０００３】
特許文献１には、携帯電話機の裏面に貼り付けて使用されるシート状の滑り止め部材が開示されている。この滑り止め部材の表面には、線状の溝が一定のピッチで複数本設けられている。滑り止め部材の裏面には、粘着加工が施されており、携帯電話機の筐体に粘着可能となっている。
【先行技術文献】
【特許文献】
【０００４】
【特許文献１】特開２００３−０４６６１５号
【発明の概要】
【発明が解決しようとする課題】
【０００５】
ユーザに打鍵されるキーを有する機器の場合、ステージ上に置かれた状態でユーザによりキーが打鍵されたときの押圧力により、機器はユーザから遠ざかる方向に滑ることがある。したがって、ユーザから遠ざかる方向に対する滑り止め効果が向上された機器が望まれる。
【０００６】
特許文献１に記載の技術は手を放した状態で安定的に携帯電話機を保持することを想定しており、打鍵時の押圧力に伴う携帯電話機の滑りは一切考慮されていない。
【０００７】
本発明の目的は、上記課題に鑑み、ユーザの打鍵力に起因する機器の滑りを防止できる機器を提供することにある。
【課題を解決するための手段】
【０００８】
本発明の一態様における機器は、ユーザに打鍵されるキーと、ステージに置かれたときにステージと対向する一面に設けられた滑り止め部材と、を備えている。滑り止め部材は、機器に向かうユーザから見て横方向に沿って延び、ステージと対向する上記一面から突出した突起部を有している。突起部の先端は、横方向の端部領域で凸状の曲面を成し、中央領域で端部領域よりも鋭く尖っている。
【発明の効果】
【０００９】
本発明によれば、ユーザの打鍵力に起因する機器の滑りを防止できる。
【図面の簡単な説明】
【００１０】
【図１】ユーザによって打鍵されるキーを備えた機器の斜視図である。
【図２】滑り止め部材を備えた機器の裏面図である。
【図３】本発明の一実施形態に係る滑り止め部材の斜視図である。
【図４】（ａ）は滑り止め部材の端部領域の断面図であり、（ｂ）は滑り止め部材の中央領域の断面図である。
【図５】機器の裏面に直交する方向から見た、滑り止め部材の突起部の上面図である。
【図６】（ａ）は機器の裏面に平行な方向から見た、滑り止め部材の突起部の上面図であり、（ｂ）は突起部の端部領域の断面図であり、（ｃ）は突起部の中央領域の断面図である。
【発明を実施するための形態】
【００１１】
以下、本発明の実施形態について図面を参照して説明する。以下では、滑り止め部材が設けられた機器として携帯情報端末を例に挙げて説明する。しかし、本発明は、携帯情報端末に限定されず、ユーザが打鍵するキーを備えた機器全般に適用できる。このような機器の例として、ノート型パソコンやキーボードなども挙げられる。
【００１２】
図１は、一実施形態の携帯情報端末を示している。本例では、携帯情報端末１０は、ユーザに打鍵されるキー１２が設けられた第１の筐体部１４と、表示部１８が設けられた第２の筐体部１６と、を備えている。第１の筐体部１４には複数のキー１２が配列されている。第１の筐体部１４と第２の筐体部１６とは、回動軸１９を有するヒンジによって回動可能に接続されている。
【００１３】
携帯情報端末１０はステージ（不図示）上に置かれた状態でユーザに操作されることがある。ユーザがキーを打鍵したときの打鍵力４０は、携帯情報端末１０に働く重力４２の方向に対してＹ方向に傾いている。したがって、携帯情報端末１０とステージとの摩擦力が小さいと、携帯情報端末１０はユーザから遠ざかる方向４４に移動することがある。
【００１４】
図２に示すように、携帯情報端末１０の、ステージと対向する面（以下、裏面と呼ぶ。）には、滑り止め部材２０が設けられている。図３は滑り止め部材２０の斜視図である。図４（ａ）は、図３の４Ａ−４Ａ線に沿った滑り止め部材２０の断面図、つまり滑り止め部材２０の端部領域での断面図である。図４（ｂ）は、図３の４Ｂ−４Ｂ線に沿った滑り止め部材２０の断面図、つまり滑り止め部材２０の中央領域での断面図である。
【００１５】
滑り止め部材２０は、例えば第１の筐体部１４に係合している。滑り止め部材２０は、携帯情報端末１０に着脱可能に設けられていても良い。滑り止め部材２０は、携帯情報端末１０に向かうユーザから見て横方向、つまりＸ軸方向に沿って延び、携帯情報端末１０の裏面から突出した突起部２２を有している。突起部２２はゴム部材からなることが好ましい。
【００１６】
本実施形態では、滑り止め部材２０に３本の突起部２２が設けられている。突起部２２の数は、これに限らず、１本または複数本であって良い。
【００１７】
以下、図５〜図７を参照して、突起部２２の具体的形状について説明する。図５は、携帯情報端末の裏面に直交する方向（Ｚ方向）から見た、滑り止め部材の突起部２２の平面図である。図６（ａ）は携帯情報端末の裏面に平行な方向（Ｙ方向）から見た、滑り止め部材２０の突起部２２の平面図である。図６（ｂ）は図６（ａ）の６Ｂ−６Ｂ線に沿った突起部２２の断面図、つまり突起部２２の端部領域の断面図であり、図６（ｃ）は図６（ａ）の６Ｃ−６Ｃ線に沿った突起部２２の断面図、つまり突起部２２の中央領域の断面図である。
【００１８】
突起部２２の先端２４は、端部領域Ｄで凸状の曲面を成しており、中央領域Ｃで端部領域Ｄよりも鋭く尖っている（図６（ｂ）および（ｃ）参照）。特に、中央領域Ｃでは、突起部の先端２４は角度を持って曲げられていることが好ましい。
【００１９】
このように、中央領域Ｃで突起部の先端２４が尖っているため、携帯情報端末１０をステージ上に置いた際に、滑り止め部材２０がステージに接触する接触面積が低減される。特に、携帯情報端末１０に向かうユーザから見て奥行き方向（Ｙ方向）において、滑り止め部材２０とステージとの接触幅は小さくなる。したがって、ユーザがキー１２を打鍵したときの打鍵力４０によって、突起部２２の先端２４により大きな応力（奥行き方向に対するせん断応力）が生じる。これにより、ユーザから遠ざかる方向に対する滑り止めの効果が増大する。
【００２０】
なお、両端領域Ｄでは、突起部２２先端２４が凸状の曲面となっているため、携帯情報端末１０は安定してステージ上に保持される。突起部２２は、中央領域Ｃから端部領域Ｄに向かうにつれて、携帯情報端末１０の裏面からの高さが高くなるアーチ型の領域を有することが好ましい（図６（ａ）参照）。これにより、携帯情報端末を使用していないとき、突起部２２の中央領域Ｃへのダメージが防止される。
【００２１】
端部領域Ｄでの突起部２２の最大高さと中央領域Ｃでの突起部２２の最大高さとの差は、自重４２、もしくは自重４２とユーザからの打鍵力４０によって中央領域Ｃでの突起部の先端２４がステージに接触する程度であることが好ましい。これにより、中央領域Ｃでの突起部の先端２４は、自重４２、もしくは自重４２とユーザからの打鍵力４０によってステージと接触する。したがって、突起部２２の先端がアーチ型形状を有していても、携帯情報端末１０をステージに置いて使用する際には滑り止め効果が発揮される。
【００２２】
滑り止め部材２０は、携帯情報端末１０に向かうユーザから見て、キー１２が配列された領域よりも奥に設けられていることが好ましい。この場合、ユーザの打鍵力４０は、せん断応力として効率的に突起部２２に集中する。これにより、ユーザの打鍵力４０が滑り止めの効果を向上させるという利点もある。
【００２３】
滑り止め部材２０は、携帯情報端末１０に向かうユーザから見て横方向（Ｘ方向）に延びているため、この横方向に働くせん断応力は滑り止め部材２０全体に分散される。したがって、横方向に対する滑り止め効果は小さく、ユーザは携帯情報端末１０を横方向に比較的容易に滑らせることができる。
【００２４】
滑り止め部材２０は、上記の突起部２２を１つのみ有していても良く、複数有していても良い。突起部２２が複数存在する場合、突起部２２は互いに平行に並べられることが好ましい。突起部２２の数は、携帯情報端末１０を支える力や滑り止め効果などを考慮し、携帯情報端末１０の重さに応じて適宜選定される。
【００２５】
以上、本発明の望ましい実施形態について提示し、詳細に説明したが、本発明は上記実施形態に限定されるものではなく、要旨を逸脱しない限り、さまざまな変更及び修正が可能であることを理解されたい。
【符号の説明】
【００２６】
１０  携帯情報端末（機器）
１２  キー
２０  滑り止め部材
２２  突起部
２４  突起部の先端
４０  打鍵力
Ｃ    中央領域
Ｄ    端部領域
【図１】
2012089932.tif 000003
【図２】
2012089932.tif 000004
【図３】
2012089932.tif 000005
【図４】
2012089932.tif 000006
【図５】
2012089932.tif 000007
【図６】
2012089932.tif 000008